(57)【要約】【課題】映像表示装置において、主視聴チャンネルのＣＭ放映時刻と副視聴チャンネルのＣＭ放映時刻とが重なっても、主視聴チャンネルのＣＭ放送中に、副視聴チャンネルの番組を視聴可能な技術の提供。【解決手段】主視聴チャンネルの第１の映像信号と、副視聴チャンネルの第２の映像信号とにつきＣＭ信号を検出するとともに、該第２の映像信号の方を記憶し、該ＣＭ検出信号に基づき、上記第１の映像信号におけるＣＭ信号期間に、上記第２の映像信号における番組信号を挿入する時分割多重を行い、上記第１の映像信号による映像と上記第２の映像信号による映像とを時分割表示しＣＭ映像を非表示にする。【選択図】  図１
2004187238.tif 000002
【特許請求の範囲】
【請求項１】
受信信号に基づき映像表示する映像表示装置において、
受信した互いに異なるチャンネルの第１の映像信号と第２の映像信号とからＣＭ信号を検出する手段と、上記第２の映像信号を記憶し再生する手段と、上記第１の映像信号と上記再生信号とを上記ＣＭ検出信号に基づき、上記第１の映像信号におけるＣＭ信号期間に、上記第２の映像信号におけるＣＭ信号期間以外の該第２の映像信号を挿入する手段とを備えて成る信号処理部と、
上記信号処理部からの出力信号を表示する表示部と、
を備え、上記第１の映像信号による映像と上記第２の映像信号による映像とを時分割表示しＣＭ映像を非表示にする構成を特徴とする映像表示装置。
【請求項２】
受信信号に基づき映像表示する映像表示装置において、
第１の映像信号からＣＭ信号を検出する第１のＣＭ検出部と、該第１の映像信号とは異なるチャンネルの第２の映像信号からＣＭ信号を検出する第２のＣＭ検出部とを備えたＣＭ検出部と、
上記第２の映像信号を記憶し再生する録画再生部と、
上記第１の映像信号と上記録画再生部からの再生信号とを時分割多重する多重部と、
上記ＣＭ検出部の出力信号に基づき上記録画再生部及び上記多重部を制御し、上記第１の映像信号におけるＣＭ信号期間に、上記第２の映像信号におけるＣＭ信号期間以外の該第２の映像信号を挿入する制御部と、
上記多重部からの上記制御された出力信号を表示する表示部と、
を備え、上記第１の映像信号による映像と上記第２の映像信号による映像とを時分割表示しＣＭ映像を非表示にする構成を特徴とする映像表示装置。
【請求項３】
上記ＣＭ検出部は、上記第１または第２の映像信号から、番組信号からＣＭ信号に変化したタイミングまたはＣＭ信号から番組信号に変化したタイミングを検出し、該タイミング情報を検出結果情報として上記制御部側に出力する構成である請求項２に記載の映像表示装置。
【請求項４】
上記制御部は、上記ＣＭ検出部からの検出結果情報を受信した時刻を把握する計時手段と、該把握した時刻情報を格納するメモリ部と、該メモリ部に格納された時刻情報を演算し上記録画再生部の再生位置を求める演算手段とを備えた構成である請求項２に記載の映像表示装置。
【請求項５】
上記制御部は、上記ＣＭ検出部で上記第１の映像信号から検出した番組信号からＣＭ信号に変化したタイミング情報を起点として、上記第２の映像信号からの検出結果情報を調べ、該第２の映像信号がＣＭ信号期間か否かにより制御を切替える構成である請求項３に記載の映像表示装置。
【請求項６】
受信信号に基づき映像を表示する映像表示方法であって、
互いに異なるチャンネルの第１の映像信号と第２の映像信号とを受信するステップと、
該受信した第１の映像信号、第２の映像信号のそれぞれからＣＭ信号を検出するステップと、
上記第２の映像信号を記憶し再生するステップと、
上記ＣＭ検出結果信号に基づき、上記第１の映像信号におけるＣＭ信号期間に、上記第２の映像信号におけるＣＭ信号期間以外の該第２の映像信号を挿入するように、上記第１の映像信号と上記再生した第２の映像信号とを時分割多重するステップと、
上記時分割多重された信号に基づき映像表示するステップと、
を備え、上記第１の映像信号による映像と上記第２の映像信号による映像とを時分割表示しＣＭ映像を非表示にすることを特徴とする映像表示方法。
【請求項７】
受信信号に基づき映像を表示する映像表示用プログラムであって、
コンピュータに、
受信した互いに異なるチャンネルの第１の映像信号、第２の映像信号のそれぞれからＣＭ信号を検出する手順と、
上記第２の映像信号を記憶し再生する手順と、
上記ＣＭ検出結果信号に基づき、上記第１の映像信号におけるＣＭ信号期間に、上記第２の映像信号におけるＣＭ信号期間以外の該第２の映像信号を挿入するように、上記第１の映像信号と上記再生した第２の映像信号とを時分割多重する手順と、
上記時分割多重された信号を映像表示用として出力する手順と、
を実行させることを特徴とする映像表示用プログラム。
【請求項８】
受信した映像信号を記録または再生する録画再生装置において、
受信した互いに異なるチャンネルの第１の映像信号と第２の映像信号とからＣＭ信号を検出する手段と、上記第２の映像信号を記憶し再生する手段と、上記第１の映像信号と上記再生信号とを上記ＣＭ検出信号に基づき、上記第１の映像信号におけるＣＭ信号期間に、上記第２の映像信号におけるＣＭ信号期間以外の該第２の映像信号を挿入する手段とを備えて成る信号処理部と、
上記信号処理部からの信号を出力する出力部と、
を備えた構成を特徴とす録画再生装置。
【発明の詳細な説明】
【０００１】
【発明の属する技術分野】
本発明は、テレビ受信機等の映像表示装置及び録画再生装置に関する。
【０００２】
【従来の技術】
テレビ視聴時、あるチャンネルで放映されている番組を視聴している時でも、別のチャンネルで同じ時間帯に放映されている番組（裏番組）の内容を知りたいという要求がある。例えば、あるチャンネルのドラマ番組を視聴していて、途中にコマーシャル（以下、ＣＭという）が入ったときに、別のチャンネルで放送中の例えば野球中継の途中経過などを確認したいという場合などである。このような場合、視聴チャンネルを切替えれば野球中継を視聴できるが、視聴チャンネルを切替えて野球中継を視聴中に、先に視聴していたチャンネルでは既にＣＭが終わり、ドラマ番組が再び進行していると、視聴チャンネルを切替えて再び元のドラマ番組のチャンネルに戻したときには該ドラマ番組の一部を見逃してしまうことになる。これを解決する従来技術としては、例えば、日立製作所「マルチウィンドウ」カラーテレビ総合カタログ  ２００２−５版  第１９頁（非特許文献１）記載のものがある。該資料には、テレビ画面上に異なるチャンネルの映像を同時に表示可能な２画面対応テレビ受信機が記載されている。このような従来の２画面対応テレビ受信機を用いることにより、もともと視聴していたチャンネル（主視聴チャンネル）の番組がＣＭを放送しているとき、主視聴番組とは別のチャンネル（副視聴チャンネル）の番組を同時表示させることにより、もともと視聴していた主視聴チャンネルの番組も見逃さずに、副視聴チャンネルの番組の視聴も可能となる。
【０００３】
【非特許文献１】
日立製作所「マルチウィンドウ」カラーテレビ総合カタログ  ２００２−５版  第１９頁
【０００４】
【発明が解決しようとする課題】
上記従来の２画面対応テレビ受信機では、主視聴チャンネルがＣＭを放映している時間帯に副視聴チャンネルでもＣＭを放映している場合には、ＣＭしか視聴できず、副視聴チャンネルの番組視聴ができない不便さがある。
本発明の課題点は、上記従来技術の状況に鑑み、映像表示装置において、主視聴チャンネルと副視聴チャンネルがともにＣＭ放映時刻が同じであっても、（１）主視聴チャンネルのＣＭ放送中に、副視聴チャンネルの番組内容を視聴できるようにすること、さらに、（２）主視聴チャンネルと副視聴チャンネルの映像を記録または再生する場合、ＣＭ映像を除去した主視聴チャンネル映像と副視聴チャンネル映像とを時分割多重して記録または再生することができるようにすること、である。
本発明の目的は、かかる課題点を解決できる技術の提供にある。
【０００５】
【課題を解決するための手段】
上記課題点を解決するために、本発明では、基本的に、入力される複数チャンネルの映像信号（音声信号を含む）のうち一方の映像信号である第１の映像信号と、他方の映像信号である第２の映像信号とにつきＣＭ信号を検出するとともに、該第２の映像信号の方を記憶し、該ＣＭ検出信号に基づき、上記第１の映像信号におけるＣＭ信号期間に、上記第２の映像信号における番組信号（ＣＭ信号期間以外の第２の映像信号）を挿入する時分割多重を行う。具体的には、（１）映像表示装置として、受信した互いに異なるチャンネルの第１の映像信号と第２の映像信号とからＣＭ信号を検出する手段（該当実施例：符号１１２、１１３）と、上記第２の映像信号を記憶し再生する手段（該当実施例：符号１１１）と、上記第１の映像信号と上記再生信号とを上記ＣＭ検出信号に基づき、上記第１の映像信号におけるＣＭ信号期間に、上記第２の映像信号におけるＣＭ信号期間以外の該第２の映像信号を挿入する手段（該当実施例：符号１１０、１０７）とを備えて成る信号処理部（該当実施例：符号１１２、１１３、１１１、１１０、１０７）と、上記信号処理部からの出力信号を表示する表示部（該当実施例：符号１０８）とを備え、上記第１の映像信号による映像と上記第２の映像信号による映像とを時分割表示しＣＭ映像を非表示にする構成とする。（２）映像表示装置として、第１の映像信号からＣＭ信号を検出する第１のＣＭ検出部（該当実施例：符号１１２）と、該第１の映像信号とは異なるチャンネルの第２の映像信号からＣＭ信号を検出する第２のＣＭ検出部（該当実施例：符号１１３）とを備えたＣＭ検出部と、上記第２の映像信号を記憶し再生する録画再生部（該当実施例：符号１１１）と、上記第１の映像信号と上記録画再生部からの再生信号とを時分割多重する多重部（該当実施例：符号１０７）と、上記ＣＭ検出部の出力信号に基づき上記録画再生部及び上記多重部を制御し、上記第１の映像信号におけるＣＭ信号期間に、上記第２の映像信号におけるＣＭ信号期間以外の該第２の映像信号を挿入する制御部（該当実施例：符号１１０）と、上記多重部からの上記制御された出力信号を表示する表示部（該当実施例：符号１０８）とを備え、上記第１の映像信号による映像と上記第２の映像信号による映像とを時分割表示しＣＭ映像を非表示にする構成とする。（３）上記（２）において、上記ＣＭ検出部を、上記第１または第２の映像信号から、番組信号からＣＭ信号に変化したタイミングまたはＣＭ信号から番組信号に変化したタイミングを検出し、該タイミング情報を検出結果情報として上記制御部側に出力する構成とする。（４）上記（２）において、上記制御部を、上記ＣＭ検出部からの検出結果情報を受信した時刻を把握する計時手段と、該把握した時刻情報を格納するメモリ部と、該メモリ部に格納された時刻情報を演算し上記録画再生部の再生位置を求める演算手段とを備えて成る構成とする。（５）上記（３）において、上記制御部を、上記ＣＭ検出部で上記第１の映像信号から検出した番組信号からＣＭ信号に変化したタイミング情報を起点として、上記第２の映像信号からの検出結果情報を調べ、該第２の映像信号がＣＭ信号期間か否かにより制御を切替える構成とする。また、（６）映像表示方法として、互いに異なるチャンネルの第１の映像信号と第２の映像信号とを受信するステップと、該受信した第１の映像信号、第２の映像信号のそれぞれからＣＭ信号を検出するステップと、上記第２の映像信号を記憶し再生するステップと、上記ＣＭ検出結果信号に基づき、上記第１の映像信号におけるＣＭ信号期間に、上記第２の映像信号におけるＣＭ信号期間以外の該第２の映像信号を挿入するように、上記第１の映像信号と上記再生した第２の映像信号とを時分割多重するステップと、上記時分割多重された信号に基づき映像表示するステップとを備え、上記第１の映像信号による映像と上記第２の映像信号による映像とを時分割表示しＣＭ映像を非表示にする。さらに、（７）映像表示用プログラムとして、コンピュータに、受信した互いに異なるチャンネルの第１の映像信号、第２の映像信号のそれぞれからＣＭ信号を検出する手順と、上記第２の映像信号を記憶し再生する手順と、上記ＣＭ検出結果信号に基づき、上記第１の映像信号におけるＣＭ信号期間に、上記第２の映像信号におけるＣＭ信号期間以外の該第２の映像信号を挿入するように、上記第１の映像信号と上記再生した第２の映像信号とを時分割多重する手順と、上記時分割多重された信号を映像表示用として出力する手順とを実行させる構成とする。（８）受信した映像信号を記録または再生する録画再生装置として、受信した互いに異なるチャンネルの第１の映像信号と第２の映像信号とからＣＭ信号を検出する手段と、上記第２の映像信号を記憶し再生する手段と、上記第１の映像信号と上記再生信号とを上記ＣＭ検出信号に基づき、上記第１の映像信号におけるＣＭ信号期間に、上記第２の映像信号におけるＣＭ信号期間以外の該第２の映像信号を挿入する手段とを備えて成る信号処理部と、上記信号処理部からの信号を出力する出力部とを備えた構成とする。
【０００６】
【発明の実施の形態】
以下、本発明の実施例につき図面を用いて説明する。
図１〜図４は本発明の実施例の説明図である。図１は本発明の映像表示装置の基本構成を示す図、図２は、図１の映像表示装置における制御部の構成例を示す図、図３及び図４は、図２の制御部における映像信号の再生位置設定方法の説明図である。
図１において、１０１は第１の映像信号（音声信号も含む）が入力される第１の入力端子、１０２は、該第１の映像信号とは異なるチャンネルの第２の映像信号（音声信号も含む）が入力される第２の入力端子、１１１は該第２の映像信号を記憶しかつ再生する録画再生部、１１２は第１の映像信号からＣＭ信号を検出する第１のＣＭ検出部、１１３は第２の映像信号からＣＭ信号を検出する第２のＣＭ検出部、１０７は、第１の映像信号と録画再生部１１１からの第２の映像信号の再生信号とを時分割多重する画面多重部、１１０は録画再生部１１１及び画面多重部１０７を制御する制御部、１０８は画面多重部１０７からの上記制御された出力信号を表示する表示部である。本実施例では、上記制御部１１０、第１のＣＭ検出部１１２及び上記第２のＣＭ検出部１１３はマイクロコンピュータ（マイコン）等で構成する。上記かかる構成において、第１の入力端子１０１から入力された第１の映像信号は、第１のＣＭ検出部１１２と画面多重部１０７へ導かれる。また、第２の入力端子１０２から入力された第２の映像信号は、第２のＣＭ検出部１１３と録画再生部１１１へ導かれる。録画再生部１１１は、入力された該第２の映像信号を記憶しかつ再生する。第１のＣＭ検出部１１２は、入力された該第１の映像信号における番組からＣＭへの切替わりタイミング（第１の映像信号のＣＭ開始タイミング）、及び、ＣＭから番組への切替わりタイミング（第１の映像信号のＣＭ終了タイミング）を検出する。第２のＣＭ検出部１１３は、第２の映像信号における番組からＣＭへの切替わりタイミング（第１の映像信号のＣＭ開始タイミング）及び、ＣＭから番組への切替わりタイミング（第１の映像信号のＣＭ終了タイミング）を検出する。該第１のＣＭ検出部１１２、第２のＣＭ検出部１１３におけるＣＭ検出方法としては、音声信号のモノラル、ステレオ、２ヶ国語の音声多重モードの切替わりなどを検出する方法や、これに映像の変化点を参照して検出する方法や、さらに、これらの切替わりの周期性、時間依存性などを要因として加味し検出する方法などがある。第１のＣＭ検出部１１２、第２のＣＭ検出部１１３でそれぞれ検出されたＣＭ開始タイミングの信号と、ＣＭ終了タイミングの信号はともに制御部１１０に入力される。
【０００７】
制御部１１０は、録画再生部１１１と画像多重部１０７とを制御し、録画再生部１１１に対しては、第１のＣＭ検出部１１２からのＣＭ開始タイミングで、第２のＣＭ検出部１１３の検出結果を参照し、録画再生部１１１の再生位置を指定し再生動作を開始させる。また、画像多重部１０７対しては、第１の映像信号に、録画再生部１１１からの再生映像信号（第２の映像信号）を時分割で挿入させ、表示用信号を形成させる。録画再生部１１１では、録画しながら、録画信号を例えば数秒の遅延後に再生可能な構成を備えるとする。録画再生部１１１として、は例えば、ＨＤＤ（Ｈａｒｄ  Ｄｉｓｋ  Ｄｒｉｖｅ）レコーダのようにランダムアクセスかつ高速アクセスが可能な技術がある。その後、録画再生部１１１に対しては、第１のＣＭ検出部１１２からのＣＭ終了タイミングで録画再生部１１１の再生動作を停止させるとともに、画像多重部１０７に対しては第１の映像信号のみを出力させるようにする。上記により、該画像多重部１０７からは、第１の映像信号のＣＭ信号期間に第２の映像信号の番組信号が挿入された時分割多重信号が出力される。該画像多重部１０７からの該時分割多重信号出力は表示部１０８に入力され、該表示部１０８で映像表示される。
【０００８】
上記図１、図２の構成において、上記制御部１１０、上記第１のＣＭ検出部１１２、上記第２のＣＭ検出部１１３を形成しているマイコン等は、映像表示用プログラムにより自動的に、受信した第１の映像信号、第２の映像信号のそれぞれからＣＭ信号を、上記第１ＣＭ検出部１１２、第２のＣＭ検出部１１３により検出する手順と、上記第２の映像信号を上記録画再生部１１１により記憶し再生する手順と、上記画面多重部１０７により、上記ＣＭ検出結果信号に基づき、上記第１の映像信号におけるＣＭ信号期間に、上記第２の映像信号におけるＣＭ信号期間以外の該第２の映像信号を挿入するように、上記第１の映像信号と上記再生した第２の映像信号とを時分割多重する手順と、該時分割多重された信号を画面多重部１０７から映像表示用として出力する手順とを実行するようになっている。
【０００９】
図２は、上記図１における制御部１１０の構成例を示す。
図２において、２０１は、上記図１における第１のＣＭ検出部１１２で検出された検出信号が入力される第１のＣＭ検出信号入力端子、２０２は、同じく第２のＣＭ検出部１１３で検出された検出信号が入力される第２のＣＭ検出信号入力端子、２０３は時刻を把握する時計部、２０４は、第１のＣＭ検出部１１２、第２のＣＭ検出部１１３それぞれから、ＣＭ開始タイミング情報及びＣＭ終了タイミング情報を受信したときの時刻を時刻情報として格納するメモリ部、２０５は、メモリ部２０４に格納された時刻情報を演算し、該演算結果に基づき録画再生部の再生位置を演算する演算部、２０６は、上記時計部２０３、上記メモリ部２０４及び上記演算部２０５を統合的に制御し、上記図１における録画再生部１１１と画面多重部１０７を制御するための制御信号を形成する記憶・演算制御部、２０７は、該形成した制御信号を録画再生部１１１と画面多重部１０７に向けて出力する制御信号出力部である。なお、第１のＣＭ検出部１１２からの検出信号と第２のＣＭ検出部１１３からの検出信号とが同一バス上で伝達される構成であってもよく、その場合は、第１のＣＭ検出信号入力端子２０１と第２のＣＭ検出信号入力端子２０２は同じ端子となる。
【００１０】
図３、図４は、上記制御部１１０の動作説明図である。
図３において、制御部１１０は、第１のＣＭ検出部１１２からＣＭ開始タイミング信号を受信すると、該制御部１１０内の記憶・演算制御部２０６が、時計部２０３の示す時刻を参照し、メモリ部２０４内に割り当てられている第１の映像信号のＣＭ開始タイミングの時刻情報を格納する格納エリア（以下、第１のＣＭ開始タイミング時刻格納エリアという）に、その時刻情報Ｔ１ｓを格納させる。また、第１のＣＭ検出部１１２からＣＭ終了タイミング信号を受信すると、記憶・演算制御部２０６は、時計部２０３の示す時刻を参照し、メモリ部２０４内に割り当てられている第１の映像信号のＣＭ終了タイミングの時刻情報を格納する格納エリア（以下、第１のＣＭ終了タイミング時刻格納エリアという）に、その時刻情報Ｔ１ｅを格納させる。第１のＣＭ終了タイミング時刻格納エリアの情報が更新されると、演算部２０５は、第１のＣＭ開始タイミング時刻格納エリアの時間情報Ｔ１ｓと、第１のＣＭ終了タイミング時刻格納エリアの時間情報Ｔ１ｅとの差分値ΔＴ１を演算する。記憶・演算制御部２０６は、該差分値ΔＴ１を第１のＣＭ時間長格納エリアに格納させる。同様に、第２のＣＭ検出部１１３から第２の映像信号のＣＭ開始タイミング信号を受信すると、記憶・演算制御部２０６は、時計部２０３の示す時刻を参照し、メモリ部２０４内に割り当てられている第２の映像信号のＣＭ開始タイミングの時刻情報を格納する格納エリア（以下、第２のＣＭ開始タイミング時刻格納エリアという）に、その時刻情報Ｔ２ｓを格納させる。また、第２のＣＭ検出部１１３からＣＭ終了タイミング信号を受信すると、記憶・演算制御部２０６は、時計部２０３の示す時刻を参照し、メモリ部２０４内に割り当てられている第２の映像信号のＣＭ終了タイミングの時刻情報を格納する格納エリア（以下、第２のＣＭ終了タイミング時刻格納エリアという）に、その時刻情報Ｔ２ｅを格納させる。第２のＣＭ終了タイミング時刻格納エリアの情報が更新されると、演算部２０５は、第２のＣＭ開始タイミング時刻格納エリアの時間情報と、第２のＣＭ終了タイミング時刻格納エリアの時間情報との差分値ΔＴ２を演算する。記憶・演算制御部２０６は、該差分値ΔＴ２を第２のＣＭ時間長格納エリアに格納させる。制御部１１０は、第１のＣＭ検出部１１２からＣＭ開始タイミング信号を受信すると、まず、メモリ部２０４内の時刻情報Ｔ１ｓを更新する。次に、第２の映像信号がＣＭ信号か否かを調べる。時計部２０３を参照し、現在の時刻情報（以下、Ｔ現在という）を求め、メモリ部２０４内の時刻情報を参照し、次の数式のいずれを満たすかを判断する。
【００１１】
Ｔ２ｓ＜Ｔ現在＜Ｔ２ｅ                                …（数１）
【００１２】
Ｔ２ｓ＜Ｔ２ｅ＜Ｔ現在                                …（数２）
数１が成立すれば第２の映像信号は現在、ＣＭ中であり、数２を満たせば、該第２の映像信号は現在、ＣＭ中ではないと判断される。
【００１３】
図３は、第１の映像信号と第２の映像信号の時系列を示す図であり、上記数１を満たす場合すなわち第２の映像信号がＣＭ中である場合を示している。この場合、再生開始位置の決定は次のようにして行う。
手順Ａ１：第１の映像信号のＣＭ終了時刻Ｔ１ｅ及び第２の映像信号のＣＭ終了時刻Ｔ２ｅを計算する。
【００１４】
Ｔ１ｅ＝Ｔ１ｓ＋ΔＴ１                      …（数３）
【００１５】
Ｔ２ｅ＝Ｔ２ｓ＋ΔＴ２                      …（数４）
手順Ａ２：Ｔ１ｅとＴ２ｅを比較する。
Ｔ１ｅ≧Ｔ２ｅ（図３（ａ））なら手順Ａ３へ。
Ｔ１ｅ＜Ｔ２ｅ（図３（ｂ））なら手順Ａ４へ。
手順Ａ３：Ｔｐｓ＝Ｔ２ｓ−ΔＴ２−Ｔｄに再生位置を設定し再生を行う。
Ｔ２ｓまで再生した後、Ｔ２ｅから再生を行う。
手順Ａ４：Ｔｐｓ＝Ｔ２ｓ−ΔＴ１に再生位置を設定し再生。
ただし、Ｔｄは、録画位置と再生位置の間隔の最小値として規定される値であり、録画再生部１１１の性能により異なる。
【００１６】
図４は、第１の映像信号と第２の映像信号の時系列を示す図であって、上記数２を満たす場合すなわち第２の映像信号がＣＭ中でない場合を示している。この場合、再生開始位置は次の手順で決定する。
手順Ｂ１：仮再生位置Ｔｐｓ’を計算する。
【００１７】
Ｔｐｓ’＝Ｔ２ｓ−ΔＴ１                    …（数５）
手順Ｂ２：Ｔｐｓ’とＴ２ｅを比較する。
Ｔｐｓ’≧Ｔ２ｅ（図４（ａ））なら手順Ｂ３へ。
Ｔｐｓ’＜Ｔ２ｅ（図３（ｂ））なら手順Ｂ４へ。
手順Ｂ３：Ｔｐｓ＝Ｔ２ｓ−ΔＴ１に再生位置を設定し再生。
手順Ｂ４：Ｔｐｓ＝Ｔ１ｓ−Ｔｄに再生位置を設定し再生。
上記手順により再生位置を設定することにより、第２の映像信号のＣＭ信号部分を再生することなく、番組部分のみを再生することが可能となる。
【００１８】
なお、上記実施例において、上記第２の映像信号は、単一のチャンネルの映像信号であってもよいし、または、複数のチャンネルの映像信号であってもよい。複数のチャンネルの映像信号の場合は、上記第２のＣＭ検出部１１３が該複数のチャンネルの映像信号からＣＭ信号を検出可能な構成を備え、制御部１１０が、該第２のＣＭ検出部１１３からの信号を選択し、該選択したものを上記第１の映像信号のＣＭ信号期間に挿入する。
【００１９】
上記実施例構成において、主視聴番組である上記第１の映像信号のＣＭ信号期間に、副視聴番組である上記第２の映像信号の番組信号を挿入することは視聴者が任意に選択できるものとし、上記図１〜図４には図示しないが本実施例の映像表示装置は、例えばリモコン装置の操作用ボタンなどにより、「ＣＭカット」（本発明機能のＯＮ）、「通常（ＣＭ入り）」（本発明の機能のＯＦＦ）、「Ａチャンネル多重」（第２の映像信号が複数チャンネルの場合にいずれかを指定）などの選択操作を行える手段を備えているものとする。なお、副視聴番組の指定や本発明の機能のＯＮ／ＯＦＦは、番組ガイドなどの情報から予め視聴者が指定した情報または視聴者の視聴傾向を学習した結果を基に、映像表示装置が自動的に指定する構成などであってもよい。主視聴番組と副視聴番組の表示の仕方については、双方を同程度の大きさで並べて表示してもよいし、主視聴番組の映像と副視聴番組を互いに異なる大きさで表示してもよい。互いに大きさを異ならせる表示としては、ＰｏｕｔＰ（Ｐｉｃｔｕｒｅ  ｏｕｔ  ｐｉｃｔｕｒｅ）表示、主視聴番組の映像内に副視聴番組を多重するＰｉｎＰ（Ｐｉｃｔｕｒｅ  ｉｎ  ｐｉｃｔｕｒｅ）表示、逆に副視聴番組の映像内に主視聴番組を多重するＰｉｎＰ表示などがある。主視聴番組がＣＭ中のときに副視聴番組を表示する場合、副視聴番組の音声を出力する。なお、正視聴番組の音声出力と副視聴番組の音声出力の切替え時は、音声信号の急な変化による異音の発生などを防止できるように、ミュート（消音）処理を行う。
【００２０】
上記実施例によれば、主視聴番組用の第１の映像信号がＣＭ期間のときに、該ＣＭ期間に副視聴番組用の第２の映像信号の番組情報を時分割多重することができ、これによって、該第１の映像信号のＣＭ放映時刻と該第２の映像信号のＣＭ放映時刻とが重なっている場合にも、該第１、第２の映像信号によるＣＭ表示を行うことなく、該第１、第２の映像信号による番組を視聴することが可能となる。第２の映像信号としてはチャンネル選択も可能である。
なお、上記実施例は、映像表示を行う映像表示装置の場合の例であるが、映像信号を記録、再生のいずれか一方または両方を行う録画再生装置の場合もほぼ同様である。
【００２１】
【発明の効果】
本発明によれば、映像表示装置において、主視聴チャンネルのＣＭ放映時刻と副視聴チャンネルのＣＭ放映時刻が重なっている場合でも、主視聴チャンネルのＣＭ放送中に、副視聴チャンネルの番組を視聴することが可能となる。録画再生装置においては、ＣＭ映像を除去した主視聴チャンネル映像と副視聴チャンネル映像とを時分割多重して記録または再生することができる。
【図面の簡単な説明】
【図１】本発明の映像表示装置の基本構成を示す図である。
【図２】図１の映像表示装置における制御部の構成例を示す図である。
【図３】図２の制御部における再生位置設定の説明図である。
【図４】図２の制御部における他の再生位置設定の説明図である。
【符号の説明】
１０１…第１の入力端子、  １０２…第２の入力端子、  １１２…第１のＣＭ検出部、  １１３…第２のＣＭ検出部、  １１１…録画再生部、  １１０…制御部、  １０７…画面多重部、  ２０１…第１のＣＭ検出信号入力端子、  ２０２…第２のＣＭ検出信号入力端子、  ２０３…時計部、  ２０４…メモリ部、  ２０５…演算部、  ２０６…記憶・演算制御部、  ２０７…制御信号出力部。
【図１】
2004187238.tif 000003
【図２】
2004187238.tif 000004
【図３】
2004187238.tif 000005
【図４】
2004187238.tif 000006